(57)【特許請求の範囲】
【請求項１】
複数の絶縁層と複数のコイル導体を積み重ねて構成した積層体と、
前記コイル導体を電気的に接続して構成した、引出し部とコイル部を有する少なくとも二つ以上の螺旋状コイルとを備え、
前記二つ以上の螺旋状コイルは、それぞれのコイル部の径が略等しく、それぞれのコイル部の軸が略同一線上に配置されるとともに、前記積層体の積み重ね方向に並置され、
前記螺旋状コイルの引出し部が前記絶縁層上に延設され、該引出し部とコイル部の接続部分が前記絶縁層の所定の方向の中央より少しずれて位置するとともに、前記積層体を平面透視したときに前記接続部分が相互に重なり合っていないこと、
を特徴とする積層型コモンモードチョークコイル。
【請求項２】
複数の絶縁層と複数のコイル導体を積み重ねて構成した積層体と、
前記コイル導体を電気的に接続して構成した、引出し部とコイル部を有する三つの螺旋状コイルとを備え、
前記三つの螺旋状コイルは、それぞれのコイル部の径が略等しく、それぞれのコイル部の軸が略同一線上に配置されるとともに、前記積層体の積み重ね方向に並置され、
前記三つの螺旋状コイルがトリファイラ構造を構成し、
前記積層体の積み重ね方向において、中央部に位置する前記螺旋状コイルがグランド電極に接続され、
前記積層体の積み重ね方向において、上部および下部に位置する二つの前記螺旋状コイルの引出し部が前記絶縁層上に延設され、該引出し部とコイル部の接続部分が前記絶縁層の所定の方向の中央より少しずれて位置するとともに、前記積層体を平面透視したときに前記接続部分が相互に重なり合っていないこと、
を特徴とする積層型コモンモードチョークコイル。
【請求項３】
前記螺旋状コイルの引出し部とコイル部の接続部分の少なくとも一つが、折り返し構造を有していることを特徴とする請求項１又は請求項２に記載の積層型コモンモードチョークコイル。
【請求項４】
前記複数の螺旋状コイルはそれぞれ、前記複数のコイル導体を前記絶縁層に設けたビアホールを介して電気的に接続して構成され、
前記積層体を平面透視したとき、前記複数の螺旋状コイルのそれぞれの入力側引出し部を有するコイル導体に接続されたビアホール同士が同一位置に配設され、かつ、それぞれの出力側引出し部を有するコイル導体に接続されたビアホール同士が同一位置に配設されていること、
を特徴とする請求項１〜請求項３のいずれかに記載の積層型コモンモードチョークコイル。
【発明の詳細な説明】
【０００１】
【発明の属する技術分野】
本発明は、積層型コモンモードチョークコイル、例えば、音声信号用コモンモードチョークコイルに関する。
【０００２】
【従来の技術】
従来より、同一の位相を有するノイズの通過を阻止するコモンモードチョークコイルとして、例えば図８に示すように、それぞれのコイル部の径が略等しくかつそれぞれのコイル部の軸が略同一線上に配置されている複数のコイルを内蔵した積層型コモンモードチョークコイル６０が知られている。この積層型コモンモードチョークコイル６０は、コイル導体６２〜６９をそれぞれ表面に設けた絶縁性シート６１等で構成されている。
【０００３】
コイル導体６２〜６５は、絶縁性シート６１にそれぞれ設けたビアホール７５ａ〜７５ｃを介して電気的に直列に接続され、絶縁性シート６１の積み重ね方向に対して平行な軸を有する螺旋状コイルＬａとされる。コイル導体６６〜６９は、絶縁性シート６１にそれぞれ設けたビアホール７５ｄ〜７５ｆを介して電気的に直列に接続され、絶縁性シート６１の積み重ね方向に対して平行な軸を有する螺旋状コイルＬｂとされる。
【０００４】
コイル導体６２の引出し部６２ａは、シート６１の奥側の辺の左側に露出してコイルＬａの入力側引出し部とされる。コイル導体６５の引出し部６５ａは、シート６１の手前側の辺の左側に露出してコイルＬａの出力側引出し部とされる。さらに、コイル導体６２のコイル部６２ｂ、コイル導体６３，６４およびコイル導体６５のコイル部６５ｂは、螺旋状に１．７５ターン周回して全体でコイルＬａのコイル部７０とされる。
【０００５】
一方、コイル導体６９の引出し部６９ａは、シート６１の奥側の辺の右側に露出してコイルＬｂの入力側引出し部とされる。コイル導体６６の引出し部６６ａは、シート６１の手前側の辺の右側に露出してコイルＬｂの出力側引出し部とされる。さらに、コイル導体６６のコイル部６６ｂ、コイル導体６７，６８およびコイル導体６９のコイル部６９ｂは、螺旋状に２．２５ターン周回して全体でコイルＬｂのコイル部７１とされる。
【０００６】
各シート６１は積み重ねられた後、一体的に焼成され、図９に示すような積層体８０とされる。積層体８０の奥側および手前側の側面には、それぞれコイルＬａ，Ｌｂの入力電極８１ａ，８２ａ並びに出力電極８１ｂ，８２ｂが設けられている。
【０００７】
図１０に示すように、コイルＬａの入力側引出し部６２ａは入力電極８１ａに電気的に接続され、出力側引出し部６５ａは出力電極８１ｂに電気的に接続されている。コイルＬｂの入力側引出し部６９ａは入力電極８２ａに電気的に接続され、出力側引出し部６６ａは出力電極８２ｂに電気的に接続されている。各引出し部６２ａ，６５ａ，６６ａ，６９ａは、それぞれ入出力電極８１ａ〜８２ｂとコイル部７０，７１との間を最短距離で直線的に繋いでいる。
【０００８】
【発明が解決しようとする課題】
ところで、従来のコモンモードチョークコイル６０の構造では、二つの螺旋状コイルＬａとＬｂのターン数に必ず０．５ターンの差が生じる。従って、コイルＬａの線路長とコイルＬｂの線路長とが異なり、コイルＬａとＬｂの間に伝送遅延差が生じる。このため、同相信号の抑圧特性（同相抑圧特性）が悪いという問題があった。そこで、従来のコモンモードチョークコイル６０は、コイルＬａ，Ｌｂの伝送遅延の差が無視できる程度の低い周波数帯の信号を取り扱う信号伝送線路や電源ラインに限定して使用されてきた。
【０００９】
しかしながら、近年の伝送信号の高周波化や差動信号伝送方式の採用などにより、コイル間のターン数の差が無視できなくなってきている。例えば、差動信号伝送方式では、コイルのターン数の差分（コイルの伝送線路長差分）の伝送遅延が発生し、差動信号伝送のバランスが損なわれるという問題が生じている。
【００１０】
そこで、本発明の目的は、高周波帯域における伝送遅延の発生が少なく、差動信号伝送における伝送信号のバランスが損なわれることのない積層型コモンモードチョークコイルを提供することにある。
【００１１】
【課題を解決するための手段及び作用】
前記目的を達成するため、第１の発明に係る積層型コモンモードチョークコイルは、
（ａ）複数の絶縁層と複数のコイル導体を積み重ねて構成した積層体と、
（ｂ）前記コイル導体を電気的に接続して構成した、引出し部とコイル部を有する少なくとも二つ以上の螺旋状コイルとを備え、
（ｃ）前記二つ以上の螺旋状コイルは、それぞれのコイル部の径が略等しく、それぞれのコイル部の軸が略同一線上に配置されるとともに、前記積層体の積み重ね方向に並置され、
（ｄ）前記螺旋状コイルの引出し部が前記絶縁層上に延設され、該引出し部とコイル部の接続部分が前記絶縁層の所定の方向の中央より少しずれて位置するとともに、前記積層体を平面透視したときに前記接続部分が相互に重なり合っていないこと、
を特徴とする。
【００１２】
また、第２の発明に係る積層型コモンモードチョークコイルは、
（ｅ）複数の絶縁層と複数のコイル導体を積み重ねて構成した積層体と、
（ｆ）前記コイル導体を電気的に接続して構成した、引出し部とコイル部を有する三つの螺旋状コイルとを備え、
（ｇ）前記三つの螺旋状コイルは、それぞれのコイル部の径が略等しく、それぞれのコイル部の軸が略同一線上に配置されるとともに、前記積層体の積み重ね方向に並置され、
（ｈ）前記三つの螺旋状コイルがトリファイラ構造を構成し、
（ｉ）前記積層体の積み重ね方向において、中央部に位置する前記螺旋状コイルがグランド電極に接続され、
（ｊ）前記積層体の積み重ね方向において、上部および下部に位置する二つの前記螺旋状コイルの引出し部が前記絶縁層上に延設され、該引出し部とコイル部の接続部分が前記絶縁層の所定の方向の中央より少しずれて位置するとともに、前記積層体を平面透視したときに前記接続部分が相互に重なり合っていないこと、
を特徴とする。
【００１３】
以上の構成により、第１および第２の発明に係る積層型コモンモードチョークコイルにおいては、螺旋状コイルの引出し部とコイル部の接続部分が、例えば折り返し構造を有するようになる。そして、螺旋状コイルの各々はそのターン数および線路長が互いに略等しくなって、コイル間における信号伝送の遅延差が少なくなる。また、引出し部とコイル部の接続部分が絶縁層の所定の方向の中央より少しずれて位置するとともに、積層体を平面透視したときに接続部分が相互に重なり合っていないため、絶縁層とコイル導体を積み重ねた積層体を焼成する際、引出し部とコイル部との接続部分に発生する局所的な内部応力が分散される。
【００１５】
また、第１および第２の発明に係る積層型コモンモードチョークコイルにおいては、複数の螺旋状コイルはそれぞれ、複数のコイル導体を絶縁層に設けたビアホールを介して電気的に接続して構成され、積層体を平面透視したとき、複数の螺旋状コイルのそれぞれの入力側引出し部を有するコイル導体に接続されたビアホール同士が同一位置に配設され、かつ、それぞれの出力側引出し部を有するコイル導体に接続されたビアホール同士が同一位置に配設されていることが好ましい。以上の構成により、引出し部を有するコイル導体を残して、前記螺旋状コイルのそれぞれのコイル部を構成するコイル導体のパターン形状や積み重ね順を同じにすることができる。
【００１６】
【発明の実施の形態】
以下、本発明に係る積層型コモンモードチョークコイルの実施の形態について添付図面を参照して説明する。
【００１７】
［第１実施形態、図１〜図３］
図１に示すように、積層型コモンモードチョークコイル１は、コイル導体３〜１１をそれぞれ表面に設けた絶縁性シート２等で構成されている。絶縁性シート２は、誘電体セラミック粉末や磁性体セラミック粉末を結合剤などと一緒に混練したものをシート状にしたものである。コイル導体３〜１１は、Ａｇ，Ｐｄ，Ｃｕ，Ｎｉ，Ａｕ，Ａｇ−Ｐｄ等からなり、印刷、スパッタリング、蒸着、フォトリソグラフィ等の方法により形成される。
【００１８】
コイル導体３〜５は、絶縁性シート２にそれぞれ設けたビアホール１５ａ，１５ｂを介して電気的に直列に接続され、絶縁性シート２の積み重ね方向に対して平行な軸を有する螺旋状コイルＬａとされる。コイル導体９〜１１は、絶縁性シート２にそれぞれ設けたビアホール１５ｅ，１５ｆを介して電気的に直列に接続され、絶縁性シート２の積み重ね方向に対して平行な軸を有する螺旋状コイルＬｂとされる。コイル導体６〜８は、絶縁性シート２にそれぞれ設けたビアホール１５ｃ，１５ｄを介して電気的に直列に接続され、絶縁性シート２の積み重ね方向に対して平行な軸を有する螺旋状コイルＬｃとされる。これら螺旋状コイルＬａ〜Ｌｃはトリファイラ構造となっており、絶縁性シート２の積み重ね方向において、上からＬａ，Ｌｃ，Ｌｂの順で積み重ねられている。
【００１９】
コイル導体３は、引出し部３ａとコイル部３ｂを有している。引出し部３ａは、シート２の奥側の辺に対して平行に延設され、その一端はシート２の奥側の辺の左側に露出しており、コイルＬａの入力側引出し部とされる。引出し部３ａの他端は、シート２の奥側の辺の略中央付近でコイル部３ｂに接続している。また、コイル導体５は、引出し部５ａとコイル部５ｂを有している。引出し部５ａは、シート２の手前側の辺に対して平行に延設され、その一端はシート２の手前側の辺の左側に露出しており、コイルＬａの出力側引出し部とされる。引出し部５ａの他端は、シート２の手前側の辺の略中央付近でコイル部５ｂに接続している。さらに、コイル導体３のコイル部３ｂ、コイル導体４およびコイル導体５のコイル部５ｂは、螺旋状に所定のターン数を周回して全体でコイルＬａのコイル部１２とされる。
【００２０】
コイル導体９は、引出し部９ａとコイル部９ｂを有している。引出し部９ａは、シート２の手前側の辺に対して平行に延設され、その一端はシート２の手前側の辺の右側に露出しており、コイルＬｂの出力側引出し部とされる。引出し部９ａの他端は、シート２の手前側の辺の略中央付近でコイル部９ｂに接続している。また、コイル導体１１は、引出し部１１ａとコイル部１１ｂを有している。引出し部１１ａは、シート２の奥側の辺に対して平行に延設され、その一端はシート２の奥側の辺の右側に露出しており、コイルＬｂの入力側引出し部とされる。引出し部１１ａの他端は、シート２の奥側の辺の略中央付近でコイル部１１ｂに接続している。さらに、コイル導体９のコイル部９ｂ、コイル導体１０およびコイル導体１１のコイル部１１ｂは、螺旋状に所定のターン数を周回して全体でコイルＬｂのコイル部１３とされる。
【００２１】
コイル導体６は、引出し部６ａとコイル部６ｂを有している。引出し部６ａの一端はシート２の手前側の辺の中央に露出しており、コイルＬｃの引出し部とされる。また、コイル導体８は、引出し部８ａとコイル部８ｂを有している。引出し部８ａの一端はシート２の奥側の辺の中央に露出しており、コイルＬｃの引出し部とされる。さらに、コイル導体６のコイル部６ｂ、コイル導体７およびコイル導体８のコイル部８ｂは、螺旋状に所定のターン数を周回して全体でコイルＬｃのコイル部１４とされる。
【００２２】
各絶縁性シート２は積み重ねられ、さらに、上下に保護用絶縁性シートが配置された後、一体的に焼成される。これにより、図２に示す積層体２０とされる。積層体２０の奥側および手前側の側面には、それぞれコイルＬａ，Ｌｂの入力電極２１ａ，２２ａおよび出力電極２１ｂ，２２ｂ、並びに、コイルＬｃのグランド電極Ｇ１，Ｇ２が設けられている。
【００２３】
図３に示すように、コイルＬａの入力側引出し部３ａは入力電極２１ａに電気的に接続され、出力側引出し部５ａは出力電極２１ｂに電気的に接続されている。コイルＬｂの入力側引出し部１１ａは入力電極２２ａに電気的に接続され、出力側引出し部９ａは出力電極２２ｂに電気的に接続されている。コイルＬｃの引出し部８ａ，６ａはそれぞれグランド電極Ｇ１，Ｇ２に電気的に接続されている。
【００２４】
こうして得られた積層型コモンモードチョークコイル１は、それぞれのコイル部１２〜１４の径が等しくかつコイル部１２〜１４の軸が同一線上に配置されている螺旋状コイルＬａ〜Ｌｃを内蔵している。螺旋状コイルＬａ〜Ｌｃは積層体２０の積み重ね方向に並置されており、しかも、各コイルＬａ〜Ｌｃの軸を揃えることにより、コイルＬａ〜Ｌｃ相互間の磁気結合度を大きくしている。これら三つのコイルＬａ〜Ｌｃのうち、コイルＬｃはコイルＬａ，Ｌｂを伝播する信号の帰還線路として機能している。
【００２５】
コイルＬａ，Ｌｂの各引出し部３ａ，５ａ，９ａ，１１ａは二つの屈曲部を有する屈曲形状パターン（クランク状パターン）であり、シート２の長手方向の略中央に位置するコイル部３ｂ，５ｂ，９ｂ，１１ｂとの接続位置から入出力電極２１ａ，２１ｂ，２２ａ，２２ｂまでを繋いでいる。そして、引出し部３ａ，５ａとコイル部３ｂ，５ｂとの接続部分が、折り返し構造を有している。これにより、コイルＬａ，Ｌｂの各々はそのターン数および線路長が互いに等しくなって、コイルＬａ，Ｌｂ間における信号伝送の遅延差が少なくなる。この結果、高周波帯域における伝送遅延の発生が少なくなり、例えば、音声信号で用いられる差動信号伝送における伝送信号のバランスが大幅に改善される。
【００２６】
一方、コイルＬｃの引出し部６ａ，８ａはそれぞれ、グランド電極Ｇ１，Ｇ２とコイル部１４との間を最短距離で直線的に繋いでいる。コイルＬｃは、帰還線路として機能するだけなので、コイルＬａ，Ｌｂと線路長を合わせる必要がない。従って、引出し部６ａ，８ａはコイル部１４に直線的に繋がっていてもよい。
【００２７】
さらに、本第１実施形態では、積層体２０を平面透視したとき、コイルＬａ〜Ｌｃのそれぞれの入力側引出し部３ａ，１１ａ，８ａを有するコイル導体３，１１，８に接続されたビアホール１５ａ，１５ｆ，１５ｄ同士が同一位置に配設され、かつ、それぞれの出力側引出し部５ａ，９ａ，６ａを有するコイル導体５，９，６に接続されたビアホール１５ｂ，１５ｅ，１５ｃ同士が同一位置に配設されている。これにより、引出し部を有するコイル導体３，５，６，８，９，１１を残して、螺旋状コイルＬａ〜Ｌｃのそれぞれのコイル部１２〜１４を構成するコイル導体４，１０，７のパターン形状やそれらが形成されている絶縁性シート２の積層の順序も同じにすることができる。従って、積層型コモンモードチョークコイルの製造工数が少なくなり、その製造コストを大幅に削減することができる。
【００２８】
なお、螺旋状コイルＬｃは必ずしも積層方向の中央部に配置されなくてもよく、上部や下部に配置されてもよい。また、螺旋状コイルＬａ，Ｌｂ，Ｌｃのそれぞれのコイル径は同じでなくてもよい。
【００２９】
［第２実施形態、図４〜図６］
図４に示すように、積層型コモンモードチョークコイル３１は、コイル導体３３〜３８をそれぞれ表面に設けた絶縁性シート３２等で構成されている。コイル導体３３〜３５は、絶縁性シート３２にそれぞれ設けたビアホール４５ａ，４５ｂを介して電気的に直列に接続され、絶縁性シート３２の積み重ね方向に対して平行な軸を有する螺旋状コイルＬａとされる。コイル導体３６〜３８は、絶縁性シート３２にそれぞれ設けたビアホール４５ｃ，４５ｄを介して電気的に直列に接続され、絶縁性シート３２の積み重ね方向に対して平行な軸を有する螺旋状コイルＬｂとされる。
【００３０】
コイル導体３３は、引出し部３３ａとコイル部３３ｂを有している。引出し部３３ａは、シート３２の奥側の辺に対して平行に延設され、その一端はシート３２の奥側の辺の左側に露出しており、コイルＬａの入力側引出し部とされる。引出し部３３ａの他端は、シート３２の奥側の辺の中央左寄り付近でコイル部３３ｂに接続している。また、コイル導体３５は、引出し部３５ａとコイル部３５ｂを有している。引出し部３５ａは、シート３２の手前側の辺に対して平行に延設され、その一端はシート３２の手前側の辺の左側に露出しており、コイルＬａの出力側引出し部とされる。引出し部３５ａの他端は、シート３２の手前側の辺の中央左寄り付近でコイル部３５ｂに接続している。さらに、コイル導体３３のコイル部３３ｂ、コイル導体３４およびコイル導体３５のコイル部３５ｂは、螺旋状に所定のターン数を周回して全体でコイルＬａのコイル部４２とされる。
【００３１】
コイル導体３６は、引出し部３６ａとコイル部３６ｂを有している。引出し部３６ａは、シート３２の手前側の辺に対して平行に延設され、その一端はシート３２の手前側の辺の右側に露出しており、コイルＬｂの出力側引出し部とされる。引出し部３６ａの他端は、シート３２の手前側の辺の中央右寄り付近でコイル部３６ｂに接続している。また、コイル導体３８は、引出し部３８ａとコイル部３８ｂを有している。引出し部３８ａは、シート３２の奥側の辺に対して平行に延設され、その一端はシート３２の奥側の辺の右側に露出しており、コイルＬｂの入力側引出し部とされる。引出し部３８ａの他端は、シート３２の奥側の辺の中央右寄り付近でコイル部３８ｂに接続している。さらに、コイル導体３６のコイル部３６ｂ、コイル導体３７およびコイル導体３８のコイル部３８ｂは、螺旋状に所定のターン数を周回して全体でコイルＬｂのコイル部４３とされる。
【００３２】
各絶縁性シート３２は積み重ねられ、さらに、上下に保護用絶縁性シートが配置された後、一体的に焼成される。これにより、図５に示す積層体５０とされる。積層体５０の奥側および手前側の側面には、それぞれコイルＬａ，Ｌｂの入力電極５１ａ，５２ａおよび出力電極５１ｂ，５２ｂが設けられている。
【００３３】
図６に示すように、コイルＬａの入力側引出し部３３ａは入力電極５１ａに電気的に接続され、出力側引出し部３５ａは出力電極５１ｂに電気的に接続されている。コイルＬｂの入力側引出し部３８ａは入力電極５２ａに電気的に接続され、出力側引出し部３６ａは出力電極５２ｂに電気的に接続されている。
【００３４】
こうして得られた積層型コモンモードチョークコイル３１は、それぞれのコイル部４２，４３の径が等しくかつコイル部４２，４３の軸が同一線上に配置されている螺旋状コイルＬａ，Ｌｂを内蔵している。螺旋状コイルＬａ，Ｌｂは積層体５０の積み重ね方向に並置されており、しかも、各コイルＬａ、Ｌｂの軸を揃えることにより、コイルＬａ，Ｌｂ相互間の磁気結合度を大きくしている。
【００３５】
コイルＬａ，Ｌｂの各引出し部３３ａ，３５ａ，３６ａ，３８ａは二つの屈曲部を有する屈曲形状パターン（クランク状パターン）であり、シート３２の長手方向の中央よりも少しずれて位置するコイル部３３ｂ，３５ｂ，３６ｂ，３８ｂとの接続位置から入出力電極５１ａ，５１ｂ，５２ａ，５２ｂまでを繋いでいる。そして、引出し部３３ａ，３５ａとコイル部３３ｂ，３５ｂとの接続部分が、折り返し構造を有している。これにより、コイルＬａ，Ｌｂの各々はそのターン数および線路長が互いに略等しくなって、コイルＬａ，Ｌｂ間における信号伝送の遅延差が少なくなる。この結果、高周波帯域における伝送遅延の発生が少なくなり、差動信号伝送における伝送信号のバランスが大幅に改善される。
【００３６】
さらに、積層体５０を平面透視したとき、螺旋状コイルＬａ，Ｌｂのそれぞれの引出し部３３ａ，３５ａ，３６ａ，３８ａとコイル部３３ｂ，３５ｂ，３６ｂ，３８ｂとの接続部分が、相互にずれており、重なり合っていない。これにより、引出し部３３ａ，３５ａ，３６ａ，３８ａが重ならず、積層体５０を焼成する際、引出し部３３ａ，３５ａ，３６ａ，３８ａとコイル部３３ｂ，３５ｂ，３６ｂ，３８ｂとの接続部分に発生する局所的な内部応力が分散される。従って、焼成時に積層体５０の割れやクラックの発生を防止することができる。
【００３７】
［他の実施形態］
なお、本発明は前記実施形態に限定するものではなく、その要旨の範囲内で種々に変更することができる。例えば、コイル導体の引出し部は屈曲形状パターンにする必要はなく、図７に示すように、シート２の長手方向の略中央に位置するコイル導体９のコイル部９ｂとの接続位置から入出力電極までを直線的に接続するものであってもよい。このように、外部電極までの距離を最短にすると、引出し部に発生するノーマルモード成分のインピーダンスを小さくすることができる。
【００３８】
さらに、前記実施形態は、それぞれ導体パターンやビアホールが形成された絶縁性シートを積み重ねた後、一体的に焼成するものであるが、必ずしもこれに限定されない。絶縁性シートは予め焼成されたものを用いてもよい。また、以下に説明する製法によって積層型コモンモードチョークコイルを製造してもよい。印刷等の方法によりペースト状の絶縁材料にて絶縁体層を形成した後、その絶縁体層の表面にペースト状の導電性材料を塗布して導体パターンやビアホールを形成する。次にペースト状の絶縁材料を上から塗布して絶縁層とする。同様にして、順に重ね塗りすることにより積層構造を有するコモンモードチョークコイルが得られる。
【００３９】
【発明の効果】
以上の説明からも明らかなように、本発明によれば、螺旋状コイルの引出し部とコイル部の接続位置を絶縁層の所定の方向の略中央に設けることにより、螺旋状コイルの引出し部とコイル部の接続部分が、例えば折り返し構造を有するようになる。そして、螺旋状コイルの各々のターン数および線路長を互いに等しくでき、コイル間における信号伝送の遅延差を少なくすることができる。しかも、積層体を平面透視したとき、螺旋状コイルのそれぞれの引出し部とコイル部との接続部分を、相互に重なり合わないように配置したため、積層体を焼成する際、引出し部とコイル部との接続部分に発生する局所的な内部応力を分散させることができる。従って、焼成時に積層体の割れやクラックの発生を防止することができる。
【００４０】
さらに、積層体を平面透視したとき、複数の螺旋状コイルのそれぞれの入力側引出し部を有するコイル導体に接続されたビアホール同士を同一位置に配設し、かつ、それぞれの出力側引出し部を有するコイル導体に接続されたビアホール同士を同一位置に配設することにより、引出し部を有するコイル導体を残して、螺旋状コイルのそれぞれのコイル部を構成するコイル導体のパターン形状や積み重ね順を同じにすることができる。従って、コイル導体のパターン形状の種類が少なくなり、積層型コモンモードチョークコイルの製造効率が高くなってその製造コストを大幅に引き下げることができる。
【図面の簡単な説明】
【図１】本発明に係る積層型コモンモードチョークコイルの第１実施形態の構成を示す分解斜視図。
【図２】図１に示した積層型コモンモードチョークコイルの外観斜視図。
【図３】図２に示した積層型コモンモードチョークコイルの平面透視図。
【図４】本発明に係る積層型コモンモードチョークコイルの第２実施形態の構成を示す分解斜視図。
【図５】図４に示した積層型コモンモードチョークコイルの外観斜視図。
【図６】図５に示した積層型コモンモードチョークコイルの平面透視図。
【図７】他の実施形態を示すコイル導体の平面図。
【図８】従来の積層型コモンモードチョークコイルの構成を示す分解斜視図。
【図９】図８に示した積層型コモンモードチョークコイルの外観斜視図。
【図１０】図９に示した積層型コモンモードチョークコイルの平面透視図。
【符号の説明】
１，３１…積層型コモンモードチョークコイル
２，３２…絶縁性シート
３〜１１，３３〜３８…コイル導体
３ａ，５ａ，９ａ，１１ａ，３３ａ，３５ａ，３６ａ，３８ａ…引出し部
１５ａ〜１５ｆ，４５ａ〜４５ｄ…ビアホール
Ｌａ，Ｌｂ，Ｌｃ…螺旋状コイル
【図１】
0003767437.tif 000002
【図２】
0003767437.tif 000003
【図３】
0003767437.tif 000004
【図４】
0003767437.tif 000005
【図５】
0003767437.tif 000006
【図６】
0003767437.tif 000007
【図７】
0003767437.tif 000008
【図８】
0003767437.tif 000009
【図９】
0003767437.tif 000010
【図１０】
0003767437.tif 000011